(57)【要約】【課題】吸収性本体の側部伸縮領域、又は立体ガードの起立性が良好で、吸収性能及び防漏性能に優れている使い捨ておむつを提供すること。【解決手段】吸収性本体５と外装体６とファスニングテープ１３とを具備する使い捨ておむつであり、吸収性本体５は、吸収体４の両側縁部より外方に長手方向に沿って弾性部材が配された側部伸縮領域５０を有しており、側部伸縮領域５０は、おむつ股下部Ｃに外装体６と重なっていない非重合部５２を有し、その前後に外装体６に接合固定された端部固定部５３，５４を有しており、外装体６は長手方向の一方の部位６Ａの両側部に弾性伸縮部６１を有し、側部伸縮領域５０の前記一方の部位６Ａ側の端部固定部５３が、弾性伸縮部６１上に該弾性伸縮部６１の伸張に連動して変形するように固定されている。【選択図】    図２
2005046283.tif 000002
【特許請求の範囲】
【請求項１】
液透過性の表面シート、液不透過性の裏面シート及びこれら両シート間に介在する液保持性の吸収体を具備する吸収性本体と、該吸収性本体の非肌当接面側に位置して該吸収性本体を固定している外装体と、該外装体の長手方向の一方の部位に設けられたファスニングテープ又はウエストバンドとを具備する使い捨ておむつであって、
前記吸収性本体の長手方向の両側部に、前記吸収体の両側縁部より外方に位置し該吸収性本体の長手方向に沿って弾性部材が配された側部伸縮領域を有しており、前記側部伸縮領域は、おむつ股下部に、前記外装体と重なっていない非重合部を有しており且つ該非重合部の前後に該外装体に接合固定された端部固定部を有しており、
前記外装体は、前記一方の部位の両側部に弾性伸縮部を有しており、前記側部伸縮領域の該一方の部位側の前記端部固定部が、該弾性伸縮部上に該弾性伸縮部の伸張に連動して変形するように固定されている使い捨ておむつ。
【請求項２】
前記側部伸縮領域は、前記一方の部位側の前記端部固定部よりも外側縁側に、前記外装体に固定されていない部分を有する請求項１記載の使い捨ておむつ。
【請求項３】
液透過性の表面シート、液不透過性の裏面シート及びこれら両シート間に介在する液保持性の吸収体を具備し、長手方向の一方の部位にファスニングテープ又はウエストバンドを有する使い捨ておむつであって、
おむつ長手方向の両側には、弾性部材を有する立体ガード形成用シートが配されて立体ガードが形成され、該各立体ガードは、おむつ長手方向両端部において起立不可能に固定され且つ固定された前記両端部間においては起立可能になされており、
前記一方の部位の両側部に弾性伸縮部を有しており、前記立体ガードの該一方の部位側の前記固定された端部は、おむつ幅方向外向きに伏倒した状態で、該弾性伸縮部上に該弾性伸縮部の伸張に連動して変形するように固定されている使い捨ておむつ。
【発明の詳細な説明】
【０００１】
【発明の属する技術分野】
本発明は、吸収性本体の側部伸縮領域、又は立体ガードの起立性が良好で、吸収性能及び防漏性能に優れた使い捨ておむつに関する。
【０００２】
【従来の技術及び発明が解決しようとする課題】
従来、展開型の使い捨ておむつとして、液透過性の表面シート、液不透過性の裏面シート、及びこれら両シート間に介在する液保持性の吸収体を具備し、使用時に着用者の腹側に位置する腹側部及び背側に位置する背側部を有するおむつが広く用いられており、展開型の使い捨ておむつの中でも大人が立ったまま装着可能なものとして、上記背側部の左右両側縁にそれぞれウェストバンドが連設され、左右の該ウェストバンドの少なくとも何れか一方における先端部にバンド止着部が設けられていると共に上記腹側部の両側部におむつ止着部が設けられており、前記バンド止着部により、左右の該ウエストバンドを着用者の腹側において止着した後、前記おむつ止着部により、前記腹側部を前記ウエストバンドに止着して着用するようになしてあるものが知られている。
【０００３】
そして、このタイプのおむつとして、漏れ防止性能を向上するべく立体ガードを設けたものや、おむつ周方向のフィット性を向上するべくウェストバンド部に弾性伸縮部を設けたものも提案されている（特許文献１，２参照）。
しかし、従来のおむつにおいては、立体ガードの起立性が必ずしも充分であるとは言えず、装着の仕方等によって漏れを生じやすくなる場合があった。また、介護における経済的、労力的な負担を軽減するべく、補助吸収具を併用することを考えた場合に、おむつ上への配置が必ずしも容易ではなかった。
【０００４】
また、従来の展開型おむつとして、液透過性の表面シート、液不透過性の裏面シート及びこれら両シート間に介在する液保持性の吸収体を具備する吸収性本体と、該吸収性本体を固定している外装体とを備え、該吸収性本体の両側部に、その長手方向に沿って弾性部材を配して側部伸縮領域が形成されているおむつが知られている。しかし、このおむつにおける側部伸縮領域は、着用者の肌に向かって容易に立ち上がるものではなく、防漏壁として液の移行を阻止する効果を期待できないものであった。
【０００５】
【特許文献１】
特開平５−１８４６２３号公報
【特許文献２】
特開平９−２９０００２号公報
【０００６】
従って、本発明の目的は、吸収性本体の側部伸縮領域、又は立体ガードの起立性が良好で、吸収性能及び防漏性能に優れた使い捨ておむつを提供することにある。
【０００７】
【課題を解決するための手段】
本発明は、液透過性の表面シート、液不透過性の裏面シート及びこれら両シート間に介在する液保持性の吸収体を具備する吸収性本体と、該吸収性本体の非肌当接面側に位置して該吸収性本体を固定している外装体と、該外装体の長手方向の一方の部位に設けられたファスニングテープ又はウエストバンドとを具備する使い捨ておむつであって、前記吸収性本体の長手方向の両側部に、前記吸収体の両側縁部より外方に位置し該吸収性本体の長手方向に沿って弾性部材が配された側部伸縮領域を有しており、前記側部伸縮領域は、おむつ股下部に、前記外装体と重なっていない非重合部を有しており且つ該非重合部の前後に該外装体に接合固定された端部固定部を有しており、前記外装体は、前記一方の部位の両側部に弾性伸縮部を有しており、前記側部伸縮領域の該一方の部位側の端部固定部が、該弾性伸縮部上に該弾性伸縮部の伸張に連動して変形するように固定されている使い捨ておむつを提供することにより前記目的を達成したものである（以下、第１発明というときは、この発明をいう）。
【０００８】
また、本発明は、液透過性の表面シート、液不透過性の裏面シート及びこれら両シート間に介在する液保持性の吸収体を具備し、長手方向の一方の部位にファスニングテープ又はウエストバンドを有する使い捨ておむつであって、おむつ長手方向の両側には、弾性部材を有する立体ガード形成用シートが配されて立体ガードが形成され、該各立体ガードは、おむつ長手方向両端部において起立不可能に固定され且つ固定された前記両端部間においては起立可能になされており、前記一方の部位の両側部に弾性伸縮部を有しており、前記立体ガードの該一方の部位側の前記固定された端部は、おむつ幅方向外向きに伏倒した状態で、該弾性伸縮部上に該弾性伸縮部の伸張に連動して変形するように固定されている使い捨ておむつを提供することにより前記目的を達成したものである（以下、第２発明というときは、この発明をいう）。
【０００９】
【発明の実施の形態】
以下、本発明をその好ましい実施形態に基づき図面を参照しながら説明する。
第１発明の一実施形態としての使い捨ておむつ１は、図１〜図４に示されるように、液透過性の表面シート２、液不透過性の裏面シート３、及びこれら両シート２，３間に介在する液保持性の吸収体４を具備する吸収性本体５と、該吸収性本体５の非肌当接面側に位置して該吸収性本体５を固定している外装体６と、該外装体６の長手方向の一方の部位６Ａの両側縁部に設けられたファスニングテープ１３，１３と、外装体６の長手方向の他方の部位６Ｂにおける外表面に設けられた、ファスニングテープ１３を止着するランディングゾーン（図示せず）とを具備してなる。以下、便宜的に、外装体６の長手方向における、ファスニングテープ１３が設けられている側を後方部６Ａといい、ランディングゾーンを有する側を前方部６Ｂという。
【００１０】
本明細書において、吸収性本体の長手方向、外装体の長手方向、おむつの長手方向とは、それぞれ、着用者の腹側に配される部分から着用者の股下に配される部分を経て着用者の背側に配される部分に至る方向又はその逆の方向を意味する。本実施形態のおむつ１は、ファスニングテープ１３を着用者の腹側においてランディングゾーンに止着する方法及びファスニングテープ１３を着用者の背側においてランディングゾーンに止着する方法の何れの方法でも装着することができる。
【００１１】
吸収性本体５及び吸収体４は、それぞれ平面視形状が長方形状であり、吸収体４は、長さ及び幅が吸収性本体５よりも小さい。表裏面シート２，３は、吸収体４の長手方向両端縁及び両側縁の外方において互いに接着されて、吸収体４を挟持・固定している。
吸収体４の両側部においては、図３に示すように、裏面シート３が、表面シート２の両側縁よりも外方に延出しており、その裏面シート３の延出部分には不織布からなる撥水性のシート１４が積層されている。そして、互いに積層された裏面シート３の延出部分と撥水性シート１４との間に、複数本の糸状の弾性部材５１が伸張状態で固定されている。そして、吸収体４の両側縁それぞれよりも幅方向外方に存在する、これらのシート及び弾性部材５１により、吸収性本体５の長手方向の両側部に、長手方向に弾性伸縮可能な側部伸縮領域５０，５０が形成されている。
【００１２】
本実施形態における側部伸縮領域５０は、図１及び図３に示すように、何れも、おむつ股下部Ｃに、外装体１６と重なっていない非重合部５２を有している。
即ち、本実施形態の外装体１６は、おむつ股下部Ｃに配される部位の左右両側に、比較的大きめに切欠された凹欠部６５を有しており、各側部伸縮領域５０における、凹欠部６５の縁部からおむつ幅方向外方に張り出した部分（以下、張り出し部５２ともいう）が、本実施形態における非重合部である。
【００１３】
側部伸縮領域５０の起立性及びそれによる吸収性能、漏れ防止性の向上の観点等から、張り出し部（非重合部）５２の張り出し幅（重なっていない部分の幅）Ｗ１（図３参照）は、その最大値（最大張り出し幅）が、該最大張り出し幅を示す部位（図１のＩ−Ｉ線上に位置する部位）における側部伸縮領域５０の幅Ｗ（図３参照）の４０〜１００％、特に６０〜１００％であることが好ましい。同様の観点から、側部伸縮領域５０の幅Ｗは、最大張り出し幅を示す部位において１０〜６０ｍｍ、特に２０〜５０ｍｍであることが好ましく、後述する前後の端部固定部５３，５４間の全域において、該幅Ｗが１０〜６０ｍｍ、特に２０〜５０ｍｍであることが好ましい。また、同様の観点から、吸収性本体５の長手方向における、張り出し部（非重合部）５２を有する部分の長さＬ１（図１参照）は、おむつ１の長手方向全長Ｌ（図１参照）の５〜６０％、特に１０〜５０％であることが好ましい。
【００１４】
本実施形態における側部伸縮領域５０は、何れも、長手方向における張り出し部（非重合部）５２の前後に、該外装体６に接合固定された端部固定部５３，５４を有している。
側部伸縮領域５０の端部固定部５３，５４においては、該領域５０における裏面シート３からなる非肌当接面側の面が、図２に示すように、略台形状に塗工した接着剤５６により、外装体６の内表面に接着固定されている。また、吸収性本体５の幅方向中央の所定幅の領域も、接着剤５７を介して外装体６の幅方向中央部に接合固定されている。
接着剤５６，５７としては、使い捨ておむつや生理用ナプキン等において従来用いられている各種公知のものを用いることができ、接着剤の塗工方法は、べた塗り塗工でもパターン塗工でも良い。パターン塗工のパターンの例としては、ドットパターン、ストライプパターン（縞状パターン）、格子パターン、市松模様状のパターン等が挙げられる。
【００１５】
本実施形態における外装体６は、図３及び図４に示すように、積層されて接合された内層シート６２及び外層シート６３を主体として構成されており、これら両シート間に、弾性伸縮部形成用の弾性部材６４が複数本挟持固定されている。弾性部材６４は、外装体６の幅方向に伸張状態で固定されており、それにより、外装体６の後方部６Ａの両側部に弾性伸縮部（ギャザー部）６１，６１が形成されている。
そして、側部伸縮領域５０の前記後方部６Ａ側の端部固定部５３は、図２及び図４に示すように、この弾性伸縮部６１上に、該弾性伸縮部６１の伸張に連動して変形するように固定されている。
【００１６】
本実施形態における端部固定部５３は、伸張させた状態の弾性伸縮部６１上に接合固定してあり、おむつ自然状態においては、側部伸縮領域５０の幅方向に収縮した状態となっている。そして、おむつ装着の際にファスニングテープ１３を引っ張ると、その引っ張りによって弾性伸縮部６１が伸張し、その伸張に連動して、収縮した状態の端部固定部５３も幅方向に伸張（変形）する。
【００１７】
本実施形態のおむつ１によれば、おむつ装着の際にファスニングテープを引っ張ることにより、弾性伸縮部６１が伸張し、それに連動して端部固定部５３が変形することにより、側部伸縮領域５０に、それを着用者の肌の方向に向かって起立させようとする力が働く、そのとき、上述したように、側部伸縮領域５０は、おむつ股下部Ｃに非重合部を有することにより小さな力でも容易に起立可能な状態となっている。そのため、側部伸縮領域５０が、着用者の肌に向かって良好に起立し、該側部伸縮領域５０が、防漏壁として有効に機能し、液の流れを阻止することができ、また、液を吸収部に押し戻すことができる。これにより、優れた吸収性能及び防漏性能が得られる。
【００１８】
本明細書における「弾性伸縮部の伸張に連動して変形」とは、弾性伸縮部の伸張に連動して伸張する場合の他、弾性伸縮部の伸張に連動してカール（断面が円弧状に変形することをいう）する場合も含む。端部固定部５３が肌当接面側にカールする場合においても、側部伸縮領域５０に、それを着用者の肌の方向に向かって起立させようとする力が働くので、同様の効果が得られる。
【００１９】
本実施形態のおむつ１における側部伸縮領域５０は、図４に示すように、後方部６Ａ側の端部固定部５３よりも幅方向の外側縁側に、外装体６に固定されていない部分５８を有している。斯かる構成を有することにより、側部伸縮領域５０の股下部Ｃにおける起立性が一層向上する。
外装体６に固定されていない部分５８の幅Ｗ３（図４参照）は、側部伸縮領域５０の起立性を向上させる観点から、該部分５８を有する部位における側部伸縮領域５０の幅Ｗ（図３参照）の５〜６０％、特に１０〜５０％であることが好ましい。
【００２０】
本実施形態における側部伸縮領域５０は、後方部６Ａ側の端部及び前方部６Ｂ側の端部の何れにおいても、折り返さずに、その片面を外装体６の内表面に接合固定されているが、これに代えて、後方部６Ａ側の端部及び前方部６Ｂ側の端部、又は前方部６Ｂ側の端部のみを、該側部伸縮領域５０上の所定の部位又は側部伸縮領域５０の延出基端（吸収体の側縁位置）で吸収性本体５の幅方向に折り返し、その折り返し部分を含めて一体的に外装体６上に固定することもできる。
【００２１】
斯かる構成を採用すれば、両端部における側部伸縮領域５０の幅を狭くしつつ、股下部Ｃにおける側部伸縮領域５０の幅を広くでき、防漏効果を一層向上させることができる。また、このような構成を採用した場合、特に前方部６Ｂ側の端部のみを折り返して固定した場合には、側部伸縮領域５０の起立性を一層向上させることができる。
【００２２】
図５は、第１発明の他の実施形態としての使い捨ておむつを示す図であり、外装体６が、後方部６Ａと前方部６Ｂとに分割されており、吸収性本体５の側部伸縮領域５０は、後方部６Ａと前方部６Ｂとの間に、外装体に固定されていない非重合部５２を有している。それ以外の構成は、上述したおむつ１と同様である。斯かる構成のおむつによっても、上述したおむつ１と同様の作用効果が得られる。
【００２３】
図６は、第１発明の更に他の実施形態としての使い捨ておむつを示す図である。本実施形態のおむつ１Ａについては、上述したおむつ１と異なる点について説明し、同様の構成については説明を省略する。特に説明しない点は上述したおむつ１と同様である。
【００２４】
本実施形態の使い捨ておむつ１Ａは、図６に示すように、ウエストバンドタイプのおむつであり、吸収性本体５と、該吸収性本体５の非肌当接面側に位置して該吸収性本体５を固定している外装体６と、該外装体６の後方部６Ａにおける両側縁部に設けられた一対のウエストバンド１０，１０を具備する。
ウエストバンドタイプのおむつは、一対のウエストバンド１０，１０のうちの少なくとも一方にバンド止着部１１を有し、そのウエストバンド１０，１０同士を着用者の腹側又は背側において互いに止着した後、おむつ長手方向における、おむつ止着部２１を有する部位を、そのウエストバンドに止着して装着することのできるタイプのおむつであり、第１発明におけるウエストバンド１０は、外装体６の幅方向において、吸収性本体５の両側縁部の位置より幅方向外方に位置する部分である。
【００２５】
本実施形態におけるウエストバンド１０は、少なくとも一部に弾性伸縮性を有するウエストバンド形成用のシート材１０Ａを、外装体６の後方部６Ａにおける左右両側部に、接着剤、ヒートシール、超音波シール等の公知の接合方法により接合して形成されている。
本実施形態のおむつ１Ａにおいては、シート材１０Ａの弾性伸縮部が、外装体６の後方部６Ａにおける両側部に位置しており、これにより弾性伸縮部６１，６１が形成されている。そして、吸収性本体５の左右両側部に形成された側部伸縮領域５０の前記後方部６Ａ側の端部固定部５３が、該弾性伸縮部６１上に該弾性伸縮部６１の伸張に連動して変形するように固定されている。
【００２６】
このため、おむつ装着の際にウエストバンド１０を引っ張ることにより、弾性伸縮部６１が伸張し、それに連動して端部固定部５３が変形することにより、側部伸縮領域５０に、それを着用者の肌の方向に向かって起立させようとする力が働く、また、上述したおむつ１と同様に、側部伸縮領域５０は、おむつ股下部Ｃに非重合部５２を有している。そのため、側部伸縮領域５０が、着用者の肌に向かって良好に起立し、該側部伸縮領域５０が、防漏壁として機能し、液の流れを阻止し、また、その液を吸収部に押し戻す。これにより、優れた吸収性能及び防漏性能が得られる。
【００２７】
次に、第２発明の一実施形態としての使い捨ておむつ１Ｂについて説明する。使い捨ておむつ１Ｂは、立ったままでも装着可能な成人用のおむつであり、図７〜図１１に示されるように、液透過性の表面シート２、液不透過性の裏面シート３、及びこれら両シート２，３間に介在する液保持性の吸収体４を有しており、実質的に縦長に形成されている。実質的に縦長とは、ウエストバンド部を除く部分が縦長であれば良い。
おむつの長手方向とは、ウエストバンド部を除く部分の長手方向と同方向である。
【００２８】
吸収体４は、平面視して矩形状をなしており、表面シート２及び裏面シート３により挟持・固定されている。吸収体４の周縁部におけるウエスト部５’とレッグ部６’には、おむつ着用者に各部位をフィットさせるためのウエスト部弾性部材（図示せず）及びレッグ弾性部材６１’が配設されている。
【００２９】
表面シート２は、吸収体４の全幅よりやや幅広の矩形状をなし、砂時計状に形成された裏面シート３の幅方向中央部上に配されている。裏面シート３における表面シート２の左右両側縁より外方に延出する部分は、後述する立体ガード７形成用のシート材７２に被覆されている。
表面シート２、裏面シート３、吸収体４及び立体ガード７形成用のシート材７２は、おむつ本体部分８を構成している。
【００３０】
使い捨ておむつ１Ｂは、その長手方向の一方の部位（以下、便宜的に背側部という）Ａの両側部に、それぞれウェストバンド１０，１０を有しており、左右のウェストバンド１０，１０の少なくとも何れか一方における先端部には、バンド止着部１１が設けられている。また、長手方向の他方の部位（以下、便宜的に腹側部という）Ｂにおける両側部のフラップ部２０には、各々２つのおむつ止着部２１がおむつ長手方向に離間させて設けられている。
おむつの長手方向の一方の部位及び他方の部位は、概ね、おむつ長手方向の端縁それぞれからおむつ全長の１／３位迄の領域であり、こららの間の領域が股下部Ｃである。
【００３１】
本実施形態のおむつ１Ｂにおけるウェストバンド１０は、少なくとも一部に弾性伸縮性を有するウエストバンド部形成用のシート材１０Ａを、背側部Ａの本体部分８における、裏面シート３及び前記シート材７２からなる左右両側部に、接着剤、ヒートシール、超音波シール等の公知の接合方法により接合して形成されている〔図７，図８（ａ），図９参照〕。
前記シート材１０Ａは、少なくともウエストバンド部の基端側の一端部１２近傍が弾性伸縮性を有することが好ましく、そのような形態としては、ウエストバンド部の基端側の端縁１２近傍に細幅の弾性伸縮部を有する形態、シート材１０Ａのウエストバンド部延出方向の中央より基端側の半分を弾性伸縮部とする形態、シート材１０Ａの全体を弾性伸縮部とする形態等が挙げられる。
【００３２】
本実施形態のおむつ１Ｂに具体的に用いたシート材１０Ａは、その全体が弾性伸縮性を有するシート材である。他の好ましい例としては、その全体が弾性伸縮部であるシートと、弾性伸縮性を有しないシート材とが連結された複合シートを挙げることができる。
【００３３】
弾性伸縮性を有するシート材としては、例えば、エラストマー材料からなるシートの片面又は両面に、ウエストバンド部の長手方向（延出方向）に伸張可能な繊維集合体を積層して一体化してなる積層シートを用いることができる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
ウエストバンド部の長手方向（延出方向）に伸張可能な繊維集合体としては、スリットの形成等の２次的な加工を施さなくてもそれ自体伸張性を有する不織布、例えばスパンデックスからなる不織布等や、それ自体は伸張性を有しないものにスリットの形成等の２次的な加工により伸張性を付与したもの等を用いることができる。
【００３４】
また、弾性伸縮性を有するシート材として、特許文献２に記載の、伸縮弾性を有するネット状シートと該ネット状シートの片面又は両面に積層された繊維集合体とからなる布帛や、特開平９−１１６７９号、特開平８−９８８９８号、特開平８−１０９０３９号、特開平８−１２１６１１号の各公報記載のもの等を用いることもできる。
【００３５】
ウエストバンド１０は、少なくとも裏面シート側の面が、機械的ファスナーの凸部材が直接係合可能な材料からなることが好ましい。
バンド止着部１１及びおむつ止着部２１，２１は、その表面に多数の錨形や鉤形のオス型係合部材が配された機械的ファスナーの凸部材により形成されていることが好ましく、機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。
【００３６】
使い捨ておむつ１Ｂの長手方向の両側には、弾性部材７１を有する立体ガード形成用シート７２が配されて立体ガード７が形成されている。
立体ガード形成用シート７２は、図８に示すように、おむつ長手方向に沿う方向の両側縁部として、直線状に形成された内側縁部７３と、おむつ本体部分の側縁と略同形状をなす外側縁部７４とを有している。内側縁部７３には、スリーブ状の空間が形成されており、股下部Ｃにおける該空間にはギャザー形成用の弾性部材７１が伸張状態で固定されている。
【００３７】
立体ガード形成用シート７２は、図８（ａ）〜（ｃ）に示すように、外側縁部７４側の所定の領域が、おむつ長手方向の全長に亘って表面シート２又は裏面シート３上に接合されている。股下部Ｃにおける該シート７２の内側縁部７３側の所定幅の領域は、図８（ｂ）に示すように、表面シート２及び裏面シート３上に接合されていない。
【００３８】
立体ガード７は、立体ガード形成用シート７２における内側縁部７３側の所定幅の領域である。
そして、立体ガード７は、図８（ａ）（ｂ）に示すように、おむつ長手方向両端部７Ａ，７Ｂにおいて起立不可能に固定されており、図８（ｃ）に示すように、固定された前記両端部間７Ｃにおいて起立可能になされている。起立可能な部分は、両端部７Ａ，７Ｂ間の全域でも一部であっても良い。
【００３９】
また、各立体ガード７は、図８（ａ）に示すように、おむつ長手方向両端部の少なくとも背側部Ａ（長手方向の一方の部位）側の端部７Ａにおいておむつ幅方向外向きに伏倒した状態で固定されている。本実施形態における立体ガード７は、図８（ｃ）に示すように、腹側部Ｂ（長手方向の他方の部位）側の端部７Ｂにおいても、同様におむつ幅方向外向きに伏倒した状態で固定されている。
【００４０】
本実施形態における立体ガード形成用シート７２は、図８中に符号７６で示す位置よりも、おむつ幅方向の外方側（図８中の右側）の全域において、裏面シート２又は表面シート３に接合されている。
【００４１】
また、各立体ガード７における背側部Ａ側の端部（外向きに伏倒した状態で固定された端部）７Ａは、ウエストバンド形成用のシート材１０Ａの弾性伸縮部上に位置して弾性伸縮性を発現する、おむつ本体部分８の弾性伸縮部６１上に、該部分の伸張に連動して変形するように固定されている。
【００４２】
尚、図１１には、立体ガードの端部７Ａを接着剤７５を用いてその対向面に接着した形態が示されており、図中の斜線部の全域が接着剤７５により対向面に接着されている。そして、立体ガード７部分及びそれが折り返されて固定された部分７７〔図８（ａ）参照〕が、その下に位置する表面シート２，裏面シート３及びシート材１０Ａに一体的に固定されている。シート材１０Ａの弾性伸張性を有する部分と、立体ガード７の固定された端部７Ａ，７Ｂとの間は、このように、基本的に厚み方向の総ての層間が接合されて厚み方向に一体化されている。各層間の接合方法としては、各層間に接着剤を配しても良いし、複数の層に一体的にヒートシール、超音波シール等を施しても良い。更に他の方法を用いることもできる。
【００４３】
本実施形態における立体ガードは、おむつ幅方向外向きに伏倒した状態で起立不可能に固定されている両端部分７Ａ，７Ｂの各全域が、おむつ本体部分８の弾性伸縮部６１上に固定されている。
立体ガード７の前記端部７Ａにおける、おむつ本体部分８の弾性伸縮部６１上に固定された領域（以下、伸縮部上固定領域ともいう）は、立体ガードの幅方向よりも長手方向に長く延びるように存在していることが好ましく、各立体ガードについての伸縮部上固定領域のおむつ長手方向の長さＬ２（図７参照）は、立体ガードに長い起立領域を確保しつつ、起立可能領域７Ｃの起立性を向上させる観点から、３〜２０ｃｍ、特に５〜１５ｃｍであることが好ましく、また、伸縮部上固定領域の幅方向の長さＷ４（図７参照）は、起立可能領域７Ｃの起立性を向上させる観点から２〜１０ｃｍ、特に３〜８ｃｍであることが好ましい。
尚、ウエスト部５にウエスト部弾性部材を配設したおむつは、従来、知られているが、このような弾性部材上に立体ガードに重ねて固定しただけでは、立体ガードの起立性は向上しない。
【００４４】
本実施形態のおむつ１Ｂは、腹側部Ｂにおける両側部に、少なくとも一部が伸張性を有するフラップ部形成用のシート材２０Ａを用いて形成されたフラップ部２０を有しており、前記各立体ガード７における該腹側部Ｂ側の端部７Ｂが、該シート材２０Ａの伸張性を有する部分上に、該部分の伸張に連動して変形するように固定されている。
フラップ部形成用シート２０Ａの伸張部（好ましくは弾性伸縮部）を形成するシートとしては、上述したウエストバンド部形成用シート材１０Ａの伸縮部を形成するシートと同様のものを用いることができる。また、立体ガード７の腹側部Ｂ側の端部７Ｂの、フラップ部形成用のシート材２０Ａの伸張部上への固定態様は、上述した背側部Ａ側の端部７Ａの、ウエストバンド部形成用シート１０Ａの伸張部上への固定態様と同様である。また、立体ガードの前記一端７Ｂが、フラップ部形成用のシート材２０Ａにおける伸張性を有する部分上に固定された領域についての好ましい長さや幅は、上述した、立体ガード７の前記端部７Ａについての伸張部上固定領域の好ましい範囲と同様である。
【００４５】
使い捨ておむつ１Ｂを装着するには、先ず、図１０に示すように、着用者３０の背側に背側部Ａの本体部分８を当接させると共に、両ウエストバンド１０，１０を着用者３０の腹側にもってくる。
そして、一方のウエストバンド１０ａを、他方のウエストバンド１０ｂに重ねるようにして、一方のウエストパンド１０ａの先端部に設けられたバンド止着部１１を、他方のウエストバンド１０ｂの裏面シート側に係合止着する。
【００４６】
この係合止着時には、両ウエストバンドをその長手方向に引っ張る必要があるが、その引っ張りにより、おむつ本体部分８の弾性伸縮部がおむつ幅方向に伸張し、これに連動して立体ガードの前記端部７Ａに変形が生じる。そして、この変形により、図１１に示すように、立体ガード７における、固定された両端部７Ａ，７Ｂ間の領域７Ｃが着用者の肌方向に向かって良好に起立する。
【００４７】
次いで、腹側部Ｂを、着用者３０の股下を通して背側から腹側に引き出し、その引き出した腹側部Ｂを、左右に引っ張りながら、互いに連結された状態の両ウエストバンド部１０，１０に係合止着する。
この腹側部Ｂの止着時には、腹側部の左右方向の引っ張りにより、フラップ部形成用の前記シート材２０Ａにおける立体ガード７と重なって存在する部分がおむつ幅方向に伸張し、これに連動して立体ガードの前記端部７Ｂに変形が生じる。そして、この変形により、立体ガード７における、固定された両端部７Ａ，７Ｂ間の領域７Ｃが着用者の肌方向に向かって一層良好に起立する。
このようにして、おむつの装着が完了する。
以上においては、左右のウエストバンドを、着用者の腹側において止着して装着する方法について説明したが、おむつ前後を逆転させ、左右のウエストバンドを、着用者の背側において止着して装着する方法でも装着することもできる。
【００４８】
本実施形態のおむつ１Ｂによれば、上述したように、おむつ装着の際に両ウエストバンド部に加わる引っ張り力により立体ガードが良好に起立するため、優れた漏れ防止性能が発揮される。また、立体ガードの端部が外側に伏倒した状態で固定されているため、両立体ガード同士間の吸収領域が広く、優れた吸収性能が発揮されると共に、尿取りパッド等の補助吸収具を併用する際に補助吸収具の配置が容易であり、しかも着用中に補助吸収具のズレが生じにくい。更に、腹側部の止着時のフラップ部の引っ張りにより更に立体ガードが良好に起立するため、一層優れた漏れ防止効果が発揮される。
尚、補助吸収具としては、使い捨ておむつと併用される各種のものを用いることができ、吸収体の上下面が液透過性の表液透過性の表面シート及び液不透過性の裏面シートで被覆されているものの他、吸収体の上下面が何れも液透過性のシートで被覆したものもある。
【００４９】
上記各実施形態において、表面シート２，裏面シート３，吸収体４，ファスニングテープ１３等の形成材料としては、各種公知のものを特に制限なく用いることができる。
【００５０】
本発明の使い捨ておむつは、上述した各実施形態に制限されず、各発明の趣旨を逸脱しない範囲で種々変更が可能である。
第２発明のおむつは、ウエストバンドタイプのおむつに代えて、ファスニングテープにより止着するテープ止めタイプのおむつであっても良い。また、第２発明における弾性伸縮部は、おむつ本体部分８に代えて、本体部分から延出するウエストバンドに存在していても良く、立体ガードの一方の部位側の端部固定部が、ウエストバンド上に固定されていても良い。
また、上述した使い捨ておむつ１Ｂにおける、ウエスト部弾性伸縮部材、レッグ弾性伸縮部材６１は、それぞれ一部又は全部を省略することができる。
また、各立体ガードは、ウエストバンドを有する側の部位（背側部Ａ）側の端部のみが外側に伏倒した状態で固定されていても良い。
また、本発明（第１，第２発明）のおむつは、補助吸収具を併用するものに限られない。
【００５１】
【発明の効果】
本発明の使い捨ておむつは、吸収性本体の側部伸縮領域、又は立体ガードの起立性が良好で、吸収性能及び防漏性能に優れている。
【図面の簡単な説明】
【図１】図１は、第１発明の一実施形態としての使い捨ておむつを平面状に拡げた状態を示す平面図である。
【図２】図２は、図１の使い捨ておむつの分解斜視図である。
【図３】図３は、図１のＩ−Ｉ線切断部端面を示す図である。
【図４】図４は、側部伸縮領域の端部固定部の好ましい固定態様を示す分解斜視図である。
【図５】図５は、第１発明の他の実施形態としての使い捨ておむつを示す平面図である。
【図６】図６は、第１発明の更に他の実施形態としての使い捨ておむつを示す平面図である。
【図７】図７は、第２発明の一実施形態としての使い捨ておむつを平面状に拡げた状態を示す平面図である。
【図８】図８は、図７の各部におけるおむつ幅方向の切断部端面を示す図で、（ａ）はＸ−Ｘ、（ｂ）はＹ−Ｙ、（ｃ）はＺ−Ｚ端面を示す図である。
【図９】図９は、図７の使い捨ておむつを裏面シート側から見た状態を示す図である。
【図１０】図１０は、図７の使い捨ておむつを装着する途中の状態を着用者の腹側から見た状態を示す図である。
【図１１】図１１は、図７の使い捨ておむつの着用時における立体ガードの立ち上がり状態の例を示す図である。
【符号の説明】
１  使い捨ておむつ
２  表面シート
３  裏面シート
４  吸収体
５  吸収性本体
５０  側部伸縮領域
６  外装体
６１  弾性伸縮部
【図１】
2005046283.tif 000003
【図２】
2005046283.tif 000004
【図３】
2005046283.tif 000005
【図４】
2005046283.tif 000006
【図５】
2005046283.tif 000007
【図６】
2005046283.tif 000008
【図７】
2005046283.tif 000009
【図８】
2005046283.tif 000010
【図９】
2005046283.tif 000011
【図１０】
2005046283.tif 000012
【図１１】
2005046283.tif 000013